(57)【要約】【課題】放送される情報を受信する無線通信装置側に対するサービスの提供態様の多様化を図ることのできる無線通信システムを提供することである。【解決手段】第１無線通信装置１０と、第１無線通信装置１０から放送される情報を受信して処理を実行する第２無線通信装置２０とを有する無線通信システムであって、前記第２無線通信装置２０は、前記第１無線通信装置から放送される所定情報が正常に受信されたときに、当該所定情報を受信する際の電波強度を取得する受信電波強度取得手段（Ｓ１２）と、該受信電波強度取得手段にて取得された前記電波強度を所定の基準に従って判定する受信電波強度判定手段（Ｓ１３〜Ｓ１６）と、該受信電波強度判定手段での判定結果に応じて、前記第１無線通信装置から放送される前記所定情報を受信した際に実行すべき処理を決める実行処理制御手段（Ｓ１７〜Ｓ２０）とを有する構成となる。【選択図】図５
2015100048.tif 000002
【特許請求の範囲】
【請求項１】
所定の通信手順に従って情報を放送する第１無線通信装置と、
該第１無線通信装置から放送される情報を受信して処理を実行する第２無線通信装置とを有する無線通信システムであって、
前記第２無線通信装置は、
前記第１無線通信装置から放送される所定情報が正常に受信されたときに、当該所定情報を受信する際の電波強度を取得する受信電波強度取得手段と、
該受信電波強度取得手段にて取得された前記電波強度を所定の基準に従って判定する受信電波強度判定手段と、
該受信電波強度判定手段での判定結果に応じて、前記第１無線通信装置から放送される前記所定情報を受信した際に実行すべき処理を決める実行処理制御手段とを有する無線通信システム。
【請求項２】
前記所定の通信手順は、ブルートゥースローエナジーの規格に基づいた通信手順である請求項１記載の無線通信システム。
【請求項３】
前記受信電波強度判定手段は、前記電波強度が所定の基準値以上であるか否かを判定する強度比較判定手段を有し、
前記実行処理制御手段は、前記強度比較判定手段にて前記電波強度が前記所定値以上であると判定されたときに、所定の第１処理を前記第１無線通信装置から放送される前記所定情報を受信した際に実行すべき処理として決める請求項１または２記載の無線通信システム。
【請求項４】
前記実行処理制御手段は、前記強度比較判定手段にて前記電波強度が前記所定値以上ではないと判定されたときに、前記第１処理と異なる第２処理を前記第１無線通信装置から放送される前記所定情報を受信した際に実行すべき処理として決める請求項３記載の無線通信システム。
【請求項５】
前記実行処理制御手段は、前記強度比較判定手段にて前記電波強度が前記所定値以上ではないと判定されたときに、前記第１無線通信装置から放送される前記所定情報を受信した際に実行すべき処理が無いと決める請求項３記載の無線通信システム。
【請求項６】
前記受信電波強度判定手段にて用いられる前記基準を表す基準情報は、前記第２無線通信装置に置かれている請求項１乃至５のいずれかに記載の無線通信システム。
【請求項７】
前記基準情報は、前記受信電波強度判定手段として機能するアプリケーションソフトウエアに含まれている請求項６記載の無線通信システム。
【請求項８】
前記第１無線通信装置から放送される前記所定情報は、前記第２無線通信装置の前記受信電波強度判定手段にて用いられる前記基準を表す基準情報を含み、
前記第２無線通信装置は、前記第２無線通信装置から放送される前記所定情報を受信した際に前記基準情報を取得する基準取得手段を有する請求項１乃至５のいずれかに記載の無線通信システム。
【請求項９】
前記第２無線通信装置は、前記受信電波強度判定手段にて用いられる前記基準を表す基準情報を、前記第１無線通信装置以外の機器から取得する基準取得手段を有する請求項１乃至５のいずれかに記載の無線通信システム。
【請求項１０】
前記第１無線通信装置から放送される前記所定情報は、前記第２無線通信装置において実行されるべき処理を表す実行処理情報を含み、
前記実行処理情報にて表される処理は、前記実行処理制御手段が前記受信電波強度判定手段での判定結果に応じて決める前記第１無線通信装置から放送される前記所定情報を受信した際に実行すべき処理に含まれる請求項１乃至９のいずれかに記載の無線通信システム。
【請求項１１】
前記第２無線通信装置は、当該第２無線通信装置において実行されるべき処理を表す実行処理情報を前記第１無線通信装置以外の機器から取得する実行処理情報取得手段を有し、
該実行処理情報取得手段にて取得された前記実行処理情報にて表される処理は、前記実行処理制御手段が前記受信電波強度判定手段での判定結果に応じて決める前記第１無線通信装置から放送される前記所定情報を受信した際に実行すべき処理に含まれる請求項１乃至９のいずれかに記載の無線通信システム。
【請求項１２】
前記実行処理制御手段が前記受信電波強度判定手段での判定結果に応じて決める前記第１無線通信装置から放送される前記所定情報を受信した際に実行すべき処理は、前記第１無線通信装置と前記所定の通信手順以外の手順に従って行う通信処理を含む請求項１乃至１１のいずれかに記載の無線通信システム。
【請求項１３】
前記実行処理制御手段が前記受信電波強度判定手段での判定結果に応じて決める前記第１無線通信装置から放送される前記所定情報を受信した際に実行すべき処理は、前記第１無線通信装置と前記所定の通信手順に従って１対１で行う通信処理を含む請求項１乃至１１のいずれかに記載の無線通信システム。
【請求項１４】
前記第２無線通信装置は、携帯端末であって、
当該携帯端末の姿勢を検出する姿勢検出器を有し、
前記実行処理制御手段は、前記姿勢検出器にて検出される当該携帯端末の姿勢が所定の状態であるときに、前記第１無線通信装置から放送される前記所定情報を受信した際に実行すべき処理を決める請求項１乃至１３のいずれかに記載の無線通信システム。
【請求項１５】
外部無線通信装置から所定の手順に従って放送される情報を受信して処理を実行する無線通信装置であって、
前記外部無線通信装置から放送される所定情報が正常に受信されたときに、当該所定情報を受信する際の電波強度を取得する受信電波強度取得手段と、
該受信電波強度取得手段にて取得された前記電波強度を所定の基準に従って判定する受信電波強度判定手段と、
該受信電波強度判定手段での判定結果に応じて、前記外部無線通信装置から放送される前記所定情報を受信した際に実行すべき処理を決める実行処理制御手段とを有する無線通信装置。
【請求項１６】
外部無線通信装置から所定の手順に従って放送される情報を受信する無線通信装置での処理をコンピュータにて実行させるためのプログラムであって、
前記所定の無線通信装置から放送される所定情報が正常に受信されたときに、当該所定情報を受信する際の電波強度を取得する受信電波強度取得ステップと、
該受信電波強度取得手段にて取得された前記電波強度を所定の基準に従って判定する受信電波強度判定ステップと、
該受信電波強度判定手段での判定結果に応じて、前記外部無線通信装置から放送される前記所定情報を受信した際に実行すべき処理を決める実行処理制御ステップとを前記コンピュータに行わせるプログラム。
【発明の詳細な説明】
【技術分野】
【０００１】
本発明は、一方の無線通信装置から放送される情報を他方の無線通信装置が受信して処理を実行する無線通信システム、その無線通信システムに用いられる無線通信装置及び該無線通信装置での処理をコンピュータに行わせるプログラムに関する。
【背景技術】
【０００２】
従来、サーバから提供される情報を基地局に設けられた送信装置（無線通信装置）からブロードキャスト（放送）し、携帯端末装置（受信装置：無線通信装置）がそのブロードキャストされた情報を受信して処理を実行するシステム（無線通信システム）が提案されている（特許文献１参照）。この従来の無線通信システムでは、ブロードキャストされる情報を受信したいずれの携帯端末装置も、一様に、予め定められたその情報に基づいた処理を実行する。
【先行技術文献】
【特許文献】
【０００３】
【特許文献１】特開２００２−１９９４６０号公報
【発明の概要】
【発明が解決しようとする課題】
【０００４】
しかしながら、上述したような一方の無線通信装置から放送される情報を他方の無線通信装置にて受信して処理する無線通信システムでは、放送される情報を受信する無線通信装置では常に一様の処理がなされるので、その放送される情報に基づいたサービスの提供態様が限られる。
【０００５】
本発明は、このような事情に鑑みてなされたもので、放送される情報を受信する無線通信装置側に対するサービスの提供態様の多様化を図ることのできる無線通信システムを提供するものである。
【課題を解決するための手段】
【０００６】
本発明に係る無線通信システムは、所定の通信手順に従って情報を放送する第１無線通信装置と、該第１無線通信装置から放送される情報を受信して処理を実行する第２無線通信装置とを有する無線通信システムであって、前記第２無線通信装置は、前記第１無線通信装置から放送される所定情報が正常に受信されたときに、当該所定情報を受信する際の電波強度を取得する受信電波強度取得手段と、該受信電波強度取得手段にて取得された前記電波強度を所定の基準に従って判定する受信電波強度判定手段と、該受信電波強度判定手段での判定結果に応じて、前記第１無線通信装置から放送される前記所定情報を受信した際に実行すべき処理を決める実行処理制御手段とを有する構成となる。
【０００７】
このような構成により、第２無線通信装置が第１無線通信装置から放送される所定情報を正常に受信したときに、第２無線通信装置において、当該所定情報を受信する際の電波強度が取得され、その電波強度が所定の基準に従って判定される。そして、第２無線通信装置では、その判定結果に応じて第１無線通信装置から放送される前記所定情報を受信した際に実行すべき処理が決定される。第２無線通信装置は、第１無線通信装置から放送される前記所定情報を受信した際に前記決定された処理を実行する。
【０００８】
第２無線通信装置が第１無線通信装置から放送される情報を受信する際の電波強度は、一般に第１無線通信装置と第２無線通信装置との間の距離に対応する。従って、前記電波強度の判定結果に基づいて決められた第１無線通信装置から放送される前記所定情報を受信した際に実行すべき処理は、第１無線通信装置と第２無線通信装置との間の距離に応じて決められたものといい得る。
【０００９】
前記所定の通信手順は、ブルートゥースローエナジー（Bluetooth Low Energy）の規格に基づいた通信手順とすることができる。
【００１０】
本発明に係る無線通信システムにおいて、前記受信電波強度判定手段は、前記電波強度が所定の基準値以上であるか否かを判定する強度比較判定手段を有し、前記実行処理制御手段は、前記強度比較判定手段にて前記電波強度が前記所定値以上であると判定されたときに、所定の第１処理を前記第１無線通信装置から放送される前記所定情報を受信した際に実行すべき処理として決める構成とすることができる。
【００１１】
このような構成により、第２無線通信装置において、第１無線通信装置から放送される所定情報を受信する際の電波強度が所定の基準値以上であると判定された場合、所定の第１処理が第１無線通信装置から放送される前記所定情報を受信した際に実行すべき処理として決められる。この場合、第２無線通信装置は、第１無線通信装置から放送される前記所定情報を受信した際に前記第１処理を実行する。
【００１２】
本発明に係る無線通信システムにおいて、前記実行処理制御手段は、前記強度比較判定手段にて前記電波強度が前記所定値以上ではないと判定されたときに、前記第１処理と異なる第２処理を前記第１無線通信装置から放送される前記所定情報を受信した際に実行すべき処理として決める構成とすることができる。
【００１３】
このような構成により、第２無線通信装置において、第１無線通信装置から放送される所定情報を受信する際の電波強度が所定の基準値以上でないと判定された場合、前記第１処理と異なる第２処理が第１無線通信装置から放送される前記所定情報を受信した際に実行すべき処理として決められる。この場合、第２無線通信装置は、第１無線通信装置から放送される前記所定情報を受信した際に前記第２処理を実行する。
【００１４】
本発明に係る無線通信システムにおいて、前記実行処理制御手段は、前記強度比較判定手段にて前記電波強度が前記所定値以上ではないと判定されたときに、前記第１無線通信装置から放送される前記所定情報を受信した際に実行すべき処理が無いと決める構成とすることができる。
【００１５】
このような構成により、第２無線通信装置において、第１無線通信装置から放送される所定情報を受信する際の電波強度が所定の基準値以上でないと判定された場合、第１無線通信装置から放送される前記所定情報を受信した際に実行すべき処理が無いと決められる。この場合、第２無線通信装置は、第１無線通信装置から放送される前記所定情報を受信した際に実行すべき処理を実行しない。
【００１６】
本発明に係る無線通信システムにおいて、前記受信電波強度判定手段にて用いられる前記基準を表す基準情報は、前記第２無線通信装置に置かれている構成とすることができる。
【００１７】
このような構成により、第２無線通信装置において、第１無線通信装置から放送される所定情報を受信する際の電波強度が、当該第２無線通信装置に置かれた基準情報にて表される基準に従って判定される。この場合、第２無線通信装置に判定のための基準を表す基準情報を外部から提供する必要がない。
【００１８】
第２無線通信装置に基準情報が置かれるとは、その基準情報が第２無線通信装置内に利用可能な状態であればよく、記憶部内に保存されることでも、また、前記受信電波強度判定手段として機能するアプリケーションソフトウエアに含まれていることでもよい。
【００１９】
本発明に係る無線通信システムにおいて、前記第１無線通信装置から放送される前記所定情報は、前記第２無線通信装置の前記受信電波強度判定手段にて用いられる前記基準を表す基準情報を含み、前記第２無線通信装置は、前記第２無線通信装置から放送される前記所定情報を受信した際に前記基準情報を取得する基準取得手段を有する構成とすることができる。
【００２０】
このような構成により、第２無線通信装置が第１無線通信装置から放送される所定情報を正常に受信したときに、第２無線通信装置において、第１無線通信装置から放送される所定情報を受信する際の電波強度が、当該受信された所定情報から取得される基準情報にて表される基準に従って判定される。この場合、第２無線通信装置に判定のための基準を表す基準情報を置いておく必要がない。
【００２１】
本発明に係る無線通信システムにおいて、前記第２無線通信装置は、前記受信電波強度判定手段にて用いられる前記基準を表す基準情報を、前記第１無線通信装置以外の機器から取得する基準取得手段を有する構成とすることができる。
【００２２】
このような構成により、第２無線通信装置は、第１無線通信装置以外の機器から基準情報を取得する。そして、第２無線通信装置が第１無線通信装置から放送される所定情報を正常に受信したときに、第２無線通信装置において、第１無線通信装置から放送される所定情報を受信する際の電波強度が、前記機器から取得された基準情報にて表される基準に従って判定される。この場合、電波強度の判定のための基準を表す基準情報を第２無線通信装置に置いておく必要も、また、第１無線通信装置から取得する必要もない。
【００２３】
本発明に係る無線通信システムにおいて、前記第１無線通信装置から放送される前記所定情報は、前記第２無線通信装置において実行されるべき処理を表す実行処理情報を含み、前記実行処理情報にて表される処理は、前記実行処理制御手段が前記受信電波強度判定手段での判定結果に応じて決める前記第１無線通信装置から放送される前記所定情報を受信した際に実行すべき処理に含まれる構成とすることができる。
【００２４】
このような構成により、第２無線通信装置が第１無線通信装置から放送される所定情報を正常に受信したときに、第２無線通信装置では、前記所定情報を受信する際の電波強度についての所定の基準に従った判定結果に応じて、前記所定情報に含まれる実行処理情報にて表される処理が、前記第１無線通信装置から放送される前記所定情報を受信した際に実行すべき処理として決められる。第２無線通信装置は、第１無線通信装置から放送される前記所定情報を受信した際に前記実行処理情報にて表される処理を実行する。
【００２５】
本発明に係る無線通信システムにおいて、前記実行処理制御手段が前記受信電波強度判定手段での判定結果に応じて決める前記第１無線通信装置から放送される前記所定情報を受信した際に実行すべき処理は、前記第１無線通信装置と前記所定の通信手順以外の手順に従って行う通信処理を含む構成とすることができる。
【００２６】
このような構成により、第２無線通信装置が第１無線通信装置から放送される所定情報を正常に受信したときに、第２無線通信装置では、前記所定情報を受信する際の電波強度についての所定の基準に従った判定結果に応じて、前記第１無線通信装置と前記所定の通信手順以外の手順に従って行う通信処理が、前記第１無線通信装置から放送される前記所定情報を受信した際に実行すべき処理として決められる。第２無線通信装置は、第１無線通信装置から放送される前記所定情報を受信した際に、前記第１無線通信装置と前記所定の通信手順以外の手順に従って行う通信処理を実行する。
【００２７】
本発明に係る無線通信システムにおいて、前記実行処理制御手段が前記受信電波強度判定手段での判定結果に応じて決める前記第１無線通信装置から放送される前記所定情報を受信した際に実行すべき処理は、前記第１無線通信装置と前記所定の通信手順に従って１対１で行う通信処理を含む構成とすることができる。
【００２８】
このような構成により、第２無線通信装置が第１無線通信装置から放送される所定情報を正常に受信したときに、第２無線通信装置では、前記所定情報を受信する際の電波強度についての所定の基準に従った判定結果に応じて、前記第１無線通信装置と前記所定の通信手順に従って１対１で行う通信処理が、前記第１無線通信装置から放送される前記所定情報を受信した際に実行すべき処理として決められる。第２無線通信装置は、第１無線通信装置から放送される前記所定情報を受信した際に、当該第１無線通信装置と前記所定の通信手順に従って１対１で行う通信処理を実行する。
【００２９】
本発明に係る無線通信システムにおいて、前記第２無線通信装置は、携帯端末であって、当該携帯端末の姿勢を検出する姿勢検出器を有し、前記実行処理制御手段は、前記姿勢検出器にて検出される当該携帯端末の姿勢が所定の状態であるときに、前記第１無線通信装置から放送される前記所定情報を受信した際に実行すべき処理を決める構成とすることができる。
【００３０】
このような構成により、携帯端末である第２無線通信装置が第１無線通信装置から放送される所定情報を正常に受信したときに、第２無線通信装置では、姿勢検出器にて当該第２無線通信装置（携帯端末）の姿勢が検出される。そして、その検出される姿勢が所定の状態であると、第２無線通信装置では、前記所定情報を受信する際の電波強度についての所定の基準に従った判定結果に応じて、前記第１無線通信装置から放送される前記所定情報を受信した際に実行すべき処理決定される。所定の状態の姿勢にある第２無線通信装置は、第１無線通信装置から放送される前記所定情報を受信した際に、前記決定された処理を実行する。
【００３１】
本発明に係る無線通信装置は、外部無線通信装置から所定の手順に従って放送される情報を受信して処理を実行する無線通信装置であって、前記外部無線通信装置から放送される所定情報が正常に受信されたときに、当該所定情報を受信する際の電波強度を取得する受信電波強度取得手段と、該受信電波強度取得手段にて取得された前記電波強度を所定の基準に従って判定する受信電波強度判定手段と、該受信電波強度判定手段での判定結果に応じて、前記外部無線通信装置から放送される前記所定情報を受信した際に実行すべき処理を決める実行処理制御手段とを有する構成となる。
【００３２】
このような構成により、外部無線通信装置から放送される所定情報が正常に受信されると、当該所定情報を受信する際の電波強度が取得され、その電波強度が所定の基準に従って判定される。その判定結果に応じて外部無線通信装置から放送される前記所定情報を受信した際に実行すべき処理が決定される。そして、この無線通信装置は、第１無線通信装置から放送される前記所定情報を受信した際に前記決定された処理を実行する。
【００３３】
本発明に係るプログラムは、外部無線通信装置から所定の手順に従って放送される情報を受信する無線通信装置での処理をコンピュータにて実行させるためのプログラムであって、前記所定の無線通信装置から放送される所定情報が正常に受信されたときに、当該所定情報を受信する際の電波強度を取得する受信電波強度取得ステップと、該受信電波強度取得手段にて取得された前記電波強度を所定の基準に従って判定する受信電波強度判定ステップと、該受信電波強度判定手段での判定結果に応じて、前記外部無線通信装置から放送される前記所定情報を受信した際に実行すべき処理を決める実行処理制御ステップとを前記コンピュータに行わせる構成となる。
【発明の効果】
【００３４】
本発明に係る無線通信システムによれば、第２無線通信装置では、第１無線通信装置から放送される前記所定情報を受信した際に、その際の電波強度の所定の基準に従った判定結果に応じて決められた前記決定された処理が実行されるので、第１無線通信装置から放送される情報を受信する第２無線通信装置側に対して、受信電波強度に応じた、即ち、第１無線通信装置までの距離に応じた多様な態様にてサービスを提供することができる。
【００３５】
また、本発明に係る無線通信装置によれば、外部無線通信装置から放送される情報を受信する際に、受信電波強度に応じた、即ち、前記外部無線装置までの距離に応じた多様な態様にてサービスを受けることができる。
【００３６】
また、本発明に係るプログラムによれば、外部無線通信装置から放送される情報を受信する際に、受信電波強度に応じた、即ち、前記外部無線通信装置までの距離に応じた多様な態様にてサービスを受けることのできる無線通信装置での処理をコンピュータに行わせることができる。
【図面の簡単な説明】
【００３７】
【図１】本発明の実施の形態に係る無線通信装システムの基本的な構成例を示す図である。
【図２】ブルートゥースローエナジーの規格に基づいた通信手順にて通信を行う図１に示す無線通信システムにおいて送信機（Peripheral）から携帯端末（Central）に放送（ブロードキャスト）される情報（ADV_IND）を示すシーケンス図である。
【図３Ａ】送信機から放送される情報（ADV_IND）のフォーマットの第１の例を示す図である。
【図３Ｂ】送信機から放送される情報（ADV_IND）の内容の第１の例を示す図である。
【図４】各携帯端末の構成例を示すブロック図である。
【図５】各携帯端末にて実行される処理の流れの第１の例を示すフローチャートである。
【図６Ａ】送信機から放送される情報（ADV_IND）のフォーマットの第２の例を示す図である。
【図６Ｂ】送信機から放送される情報（ADV_IND）の内容の第２の例を示す図である。
【図７】各携帯端末にて実行される処理の流れの第２の例を示すフローチャートである。
【図８】本発明の他の実施の形態に係る無線通信装システムの基本的な構成を示す図である。
【図９】各携帯端末にて実行される処理の流れの第３の例を示すフローチャートである。
【図１０】各携帯端末にて実行される処理の流れの第４の例を示すフローチャートである。
【図１１Ａ】送信機から放送される情報（ADV_IND）のフォーマットの第３の例を示す図である。
【図１１Ｂ】送信機から放送される情報（ADV_IND）の内容の第３の例を示す図である。
【図１２】各携帯端末にて実行される処理の流れの第５の例を示すフローチャートである。
【図１３】送信機から放送される情報（ADV_IND）を受信した際に実行される処理の手順の一例を示すシーケンス図である。
【図１４】各携帯端末にて実行される処理の流れの第６の例を示すフローチャートである。
【図１５】送信機から放送される情報（ADV_IND）を受信した際に実行される処理の手順の他の一例を示すシーケンス図である。
【図１６Ａ】送信機から放送される情報（ADV_IND）のフォーマットの第４の例を示す図である。
【図１６Ｂ】送信機から放送される情報（ADV_IND）の内容の第４の例を示す図である。
【図１７】各携帯端末にて実行される処理の流れの第７の例を示すフローチャートである。
【図１８Ａ】送信機に対する携帯端末の姿勢の例（その１）を示す図である。
【図１８Ｂ】送信機に対する携帯端末の姿勢の例（その２）を示す図である。
【発明を実施するための形態】
【００３８】
以下、本発明の実施の形態について図面を用いて説明する。
【００３９】
本発明の実施の一形態に係る無線通信システムは、図１に示すように構成される。
【００４０】
図１において、この無線通信システムは、送信機１０（第１無線通信装置：Bluetooth端末）と、１または複数の携帯端末２０ａ、２０ｂ、２０ｃ（第２無線通信装置：例えば、スマートフォン）とから構成される。送信機１０と各携帯端末２０ａ、２０ｂ、２０ｃとは、例えば、ブルートゥースローエナジー（Bluetooth Low Energy：以下、ブルートゥースＬＥという）の規定に基づいた通信手順に従って相互に近距離無線通信を行う。送信機１０は、ブルートゥースＬＥに規定されたPeripheralとして機能し、各携帯端末２０ａ、２０ｂ、２０ｃは、ブルートゥースＬＥに規定されたCentralとして機能する。
【００４１】
送信機１０は、図２に示すように、所定の情報を含むAdvertize Packet（ADV_IND）を放送（ブロードキャスト）している。各携帯端末２０ａ、２０ｂ、２０ｃは、送信機１０から放送されるADV_INDを受信する。ADV_INDは、例えば、図３Ａに示すフォーマットにて、図３Ａに示す内容の情報を含む。即ち、ADV_INDの１バイト目がデータサイズを表す情報（値）を、２バイト目がデータタイプを表す情報（値）を、３バイト目〜５バイト目が送信機１０を特定するＩＤ番号（値）を、それぞれ表す。
【００４２】
各携帯端末２０ａ、２０ｂ、２０ｃは、図４に示すように構成される。なお、以下、携帯端末を総称する場合、参照番号２０を用いる。
【００４３】
携帯端末２０は、処理ユニット２１、移動体通信ユニット２２、ＢＴ通信ユニット２３、表示部２４、操作部２５、記憶部２６及び加速度センサユニット２７を有している。処理ユニット２１は、コンピュータユニット（ＣＰＵを含む）を備えており、アプリケーションプログラム等のプログラムに従って処理を実行する。移動体通信ユニット２２は、処理ユニット２１の制御のもと、所定の移動体通信網を介して他の通信装置（携帯端末、固定端末等）と音声通信及びデータ通信を行う。ＢＴ通信ユニット２３は、処理ユニット２１の制御のもと、Bluetooth（登録商標）の規定（Bluetooth Classic、Bluetooth Low Energy）に基づいた通信手順に従って送信機１０と近距離通信を行う。記憶部２６にはアプリケーションプログラム等のプログラム、処理ユニット２１での処理に必要な情報、処理ユニット１１での処理により得られた情報等、各種の情報が格納されている。処理ユニット２１は、操作部２５からの操作情報に基づいて記憶部２６に格納されたプログラムに従って各種処理を実行し、また、処理により得られる情報を表示部２４に表示させることができる。加速度センサユニット２７は、三軸（Ｘ軸、Ｙ軸、Ｚ軸）方向の加速度を検出し、処理ユニット２１は、加速度センサユニット２７からの検出信号（三軸方向の加速度を表す）に基づいて携帯端末２０の姿勢を判定することができる。
【００４４】
携帯端末２０の処理ユニット２１は、例えば、ブルートゥースＬＥに基づいて送信機１０から放送されるADV_INDを受信する際に実行すべき処理を、例えば、図５に示す手順（アプリケーションプログラム）に従って決定して、その処理を実行する。
【００４５】
図５において、処理ユニット２１は、送信機１０から放送されるADV_IND（図３Ａ、図３Ｂ参照）がＢＴ通信ユニット２３にて正常に受信されるか否かを繰り返し判定している（Ｓ１１）。その過程で、ＢＴ通信ユニット２３によって前記ADV_INDが正常に受信されたと判定すると（Ｓ１１でＹＥＳ）、処理ユニット２１は、ＢＴ通信ユニット２３が前記ADV_INDを受信する際の電波強度Ｓ（RSSI：Received Signal Strength Indication）を取得する（Ｓ１２：受信電波強度取得手段）。この受信強度Ｓは、一般に送信機１０と携帯端末２０との間の距離に対応する。
【００４６】
処理ユニット２１は、判定基準となる４つの閾値−４０ｄＢ、−５０ｄＢ、−６０ｄＢ及び−７０ｄＢを用いて、前記取得した電波強度Ｓが、−４０ｄＢ以上（Ｓ≧−４０ｄＢ）、−４０ｄＢ未満−５０ｄＢ以上（−４０ｄＢ＞Ｓ≧−５０ｄＢ）、−５０ｄＢ未満−６０ｄＢ以上（−５０ｄＢ＞Ｓ≧−６０ｄＢ）、−６０ｄＢ未満−７０ｄＢ以上（−６０ｄＢ＞Ｓ≧−７０ｄＢ）及び−７０ｄＢ未満（−７０ｄＢ＞Ｓ）の５つの範囲のうちのいずれの範囲にあるか否かを判定する（Ｓ１３〜Ｓ１６：受信電波強度判定手段）。処理ユニット２１は、前記電波強度Ｓが前記５つの範囲のうちのいずれの範囲にあるかに応じて、ポイント付与処理により付与すべきポイント数を決める、即ち、何ポイントのポイント付与処理を実行すべきかを決める（Ｓ１７〜Ｓ２０：実行処理制御手段）。具体的には、前記電波強度Ｓが−７０ｄＢ未満の範囲にあると（Ｓ１３でＮＯ、Ｓ１４ＮＯ、Ｓ１５でＮＯ、Ｓ１６でＮＯ）、ポイント付与処理により付与すべきポイント数が０ポイント（０ｐ）に決められ、即ち、付与すべきポイントが無いことが決められ、前記電波強度Ｓが−６０ｄＢ未満−７０ｄＢ以上（−６０ｄＢ＞Ｓ≧−７０ｄＢ）の範囲にあると（Ｓ１３でＮＯ、Ｓ１４でＮＯ、Ｓ１５でＮＯ、Ｓ１６でＹＥＳ）、ポイント付与処理により付与すべきポイント数が５ポイント（５ｐ）に決められ（Ｓ２０）、また、前記電波強度Ｓが−５０ｄＢ未満−６０ｄＢ以上（−５０ｄＢ＞Ｓ≧−６０ｄＢ）の範囲にあると（Ｓ１３でＮＯ、Ｓ１４でＮＯ、Ｓ１５でＹＥＳ）、ポイント付与処理により付与されるべきポイント数が１５ポイント（１５ｐ）に決められる（Ｓ１９）。更に、電波強度Ｓが−４０ｄＢ未満−５０ｄＢ以上（−４０ｄＢ＞Ｓ≧−５０ｄＢ）の範囲にあると（Ｓ１３でＮＯ、Ｓ１４でＹＥＳ）、ポイント付与処理により付与すべきポイント数が３０ポイント（３０ｐ）に決められ（Ｓ１８）、電波強度Ｓが−４０ｄＢ以上（Ｓ≧−４０ｄＢ）の範囲にあると（Ｓ１３でＹＥＳ）、ポイント付与処理により付与されるべきポイント数が５０ポイント（５０ｐ）に決められる（Ｓ１７）。
【００４７】
処理ユニット２１は、上記のようにして、ポイント付与処理により付与されるべきポイント数を決める（Ｓ１７〜Ｓ２０）と、予め定めた終了条件（例えば、最初の受信強度取得からの経過時間に基づいた条件や終了操作が行われた等の条件）が満足されたか否かを判定する（Ｓ２１）。そして、前記終了条件が満足されていないと（Ｓ２１でＮＯ）と、処理ユニット２１は、再度、送信機１０から放送されるADV_INDがＢＴ通信ユニット２３にて正常に受信されるか否かを繰り返し判定する（Ｓ１１）状態になる。以後、処理ユニット２１は、送信機１０から放送されるADV_INDがＢＴ通信ユニット２３にて受信される毎に（Ｓ１１でＹＥＳ）、その際の電波強度Ｓを取得し（Ｓ１２）、その受信強度Ｓの前記４つの閾値（−４０ｄＢ、−５０ｄＢ、−６０ｄＢ、−７０ｄＢ）に基づいた判定結果に応じてポイント付与処理により付与すべきポイント数を決める。
【００４８】
なお、上述したように終了条件が満たされずに（Ｓ２１でＮＯ）、ポイント付与処理にて付与されるべきポイント数が、送信機１０から放送されるADV_INDが受信される際の電波強度Ｓに応じて繰り返し決められる過程で、そのポイント付与処理にて付与すべきポイント数は、前回決められたポイント数より今回決められたポイント数が低い場合には、前回決められたポイント数に維持され、前回決められたポイント数より今回決められたポイント数が高い場合に、今回決められたポイント数に更新される。
【００４９】
上述した処理の過程で終了条件が満たされると（Ｓ２１でＹＥＳ）、処理ユニット２１は、その時点で決められているポイント数（確定ポイント数）のポイント付与処理を、送信機１０から放送されるADV_INDを受信した際に実行すべき処理として決め、そのポイント付与処理を実行する（Ｓ２２）。その後、ポイント付与に係る処理を終了する。
【００５０】
上述したような無線通信システムによれば、携帯端末２０（第２無線通信装置）では、送信機１０（第１無線通信装置）から放送されるADV_INDを受信した際に、その際の電波強度Ｓの前記４つの閾値（−４０ｄＢ、−５０ｄＢ、−６０ｄＢ、−７０ｄＢ）に基づいた判定結果に応じて決められたポイント数のポイント付与処理が実行されるので、送信機１０から放送されるADV_INDを受信する携帯端末２０に対して、受信電波強度Ｓに応じた、即ち、送信機１０までの距離に応じた多様な態様にてポイント付与サービスを提供することができる。
【００５１】
人に対するサービスの対象となる物と当該人との間の距離は、当該物に対する当該人の興味の度合いやその人が当該物に対してアクションを行なおうとする意志の強さを表し得る。このようなことを考慮して、前述した無線通信システムは、例えば、展示品等の物により近づいた者に対してより多くのポイントを付与するポイント付与システムとして利用することができる。この場合、送信機１０が展示物等の物の近傍に設置される。
【００５２】
このようなポイントシステム（無線通信システム）によれば、携帯端末２０を所持した者が展示物等の物（送信機１０）より近くに接近すると、携帯端末２０において送信機１０から放送されるADV_INDを受信した際の電波強度Ｓが大きくなって、より高いポイント数が付与される。即ち、展示物等の物により高い興味を持っていると推定される者に対してより高いポイント数を付与することができる。
【００５３】
上述した無線通信システムでは、受信電波強度Ｓの判定基準を表４つの閾値（基準情報）、及び送信機１０から放送される所定情報（ADV_IND）を受信する際に系端端末２０において実行されるべきポイント付与処理にて付与されるポイント数を表す情報（実行処理情報）は、携帯端末２０の処理ユニット２１が実行するアプリケーションプログラム（アプリケーションソフトウエア）に記述されるものであったが、前記基準情報や実行処理情報は、携帯端末２０の記憶部２６に処理ユニット２１によって利用可能に記録されているものであっても、送信機１０から提供されるものであっても、送信機１０以外の機器から提供されるものであってもよい。
【００５４】
例えば、受信電波強度Ｓの判定基準を表４つの閾値（基準情報）、及び送信機１０から放送される所定情報（ADV_IND）を受信する際に携帯端末２０において実行されるべきポイント付与処理にて付与されるポイント数を表す情報（実行処理情報）が送信機１０から提供される無線通信システムでは、それら基準情報及び実行処理情報は、送信機１０から放送される所定情報（ADV_IND）に含めることができる。この場合、送信機１０から放送されるADV_INDは、例えば、図６Ａに示すフォーマットにて図６Ｂに示す内容の情報を含む。即ち、前述した例（図３Ａ及び図３Ｂ参照）と同様に１バイト目がデータサイズを表す情報（値）を、２バイト目がデータタイプを表す情報（値）を、３バイト目〜５バイト目が送信機１０を特定するＩＤ番号（値）を、それぞれ表す。更に、６バイト目が第１閾値Ｔｈ１を表す情報（値＝−４０ｄＢ）を、７バイト目が付与ポイント数Ｐｔ＝Ａを表す情報（値＝５０）を、８バイト目が第２閾値Ｔｈ２を表す情報（値＝−５０ｄＢ）を、９バイト目が付与ポイント数Ｐｔ＝Ｂを表す情報（値＝３０）を、１０バイト目が第３閾値Ｔｈ３を表す情報（値＝−６０ｄＢ）を、１１バイト目が付与ポイント数Ｐｔ＝Ｃを表す情報（値＝１５）を、１２バイト目が第４閾値Ｔｈ４を表す情報（値＝−７０ｄＢ）を、１３バイト目が付与ポイント数Ｐｔ＝Ｄを表す情報（値＝５）を、それぞれ表す。上記第１閾値Ｔｈ１〜第４閾値Ｔｈ４の４つの閾値によって、上述した例（図５参照）と同様に、受信電波強度Ｓの５つの範囲（Ｓ≧Ｔｈ１＝−４０ｄＢ、Ｔｈ１＝−４０ｄＢ＞Ｓ≧Ｔｈ２＝−５０ｄＢ、Ｔｈ２＝−５０ｄＢ＞Ｓ≧Ｔｈ３＝−６０ｄＢ、Ｔｈ３＝−６０ｄＢ＞Ｓ≧Ｔｈ４＝−７０ｄＢ、Ｔｈ４＝−７０ｄＢ＞Ｓ）が規定される。そして、前記５つの範囲に対してポイント数５０ｐ、３０ｐ、１５ｐ、５ｐ、０ｐ（ポイント付与しない）が前述した例と同様に対応づけられる。
【００５５】
送信機１０から放送される上記のようなフォーマットのADV_INDを受信する携帯端末２０の処理ユニット２１は、例えば、図７に示す手順（アプリケーションプログラム）に従って処理を実行する。
【００５６】
図７において、処理ユニット２１は、送信機１０から放送されるADV_IND（図６Ａ、図６Ｂ参照）がＢＴ通信ユニット２３にて正常に受信されるか否かを繰り返し判定している（Ｓ３１）。その過程で、ＢＴ通信ユニット２３によって前記ADV_INDが正常に受信されたと判定すると（Ｓ３１でＹＥＳ）、処理ユニット２１は、当該ADV_INDの解析が既に終了しているか否かを判定し（Ｓ３２）、その解析がまだ終了していなければ（Ｓ３２でＮＯ）、処理ユニット２１は、受信したADV_INDを解析して、基準情報（閾値）及び実行処理情報（ポイント数）を取得する。具体的には、受信電波強度Ｓの５つの範囲（Ｓ≧Ｔｈ１＝−４０ｄＢ、Ｔｈ１＝−４０ｄＢ＞Ｓ≧Ｔｈ２＝−５０ｄＢ、Ｔｈ２＝−５０ｄＢ＞Ｓ≧Ｔｈ３＝−６０ｄＢ、Ｔｈ３＝−６０ｄＢ＞Ｓ≧Ｔｈ４＝−７０ｄＢ、Ｔｈ４＝−７０ｄＢ＞Ｓ）及び当該５つの範囲に対応付けられたポイント数５０ｐ、３０ｐ、１５ｐ、５ｐ、０ｐ（ポイント付与しない）が取得され、これらの情報が記憶部２６に格納される。
【００５７】
以後、処理ユニット２１は、記憶部２６に格納された基準情報（閾値）及び実行処理情報（ポイント数）を用いて、前述した例と同様の処理を実行する。
【００５８】
即ち、処理ユニット２１は、ＢＴ通信ユニット２３が前記ADV_INDを受信する際の電波強度Ｓ（RSSI）を取得すると（Ｓ３４）、その電波強度Ｓが判定基準となる４つの閾値Ｔｈ１＝−４０ｄＢ、Ｔｈ２＝−５０ｄＢ、Ｔｈ３＝−６０ｄＢ及びＴｈ４＝−７０ｄＢで決まる５つの範囲のいずれにあるかを判定する（Ｓ３５、Ｓ３６、Ｓ３７、Ｓ３８：図５におけるＳ１３〜Ｓ１６に対応）。そして、処理ユニット２１は、その判定結果に応じて、ポイント付与処理により付与すべきポイント数を決める（Ｓ３９、Ｓ４０、Ｓ４１、Ｓ４２：図５におけるＳ１７〜Ｓ２０に対応）。以後、処理ユニット２１は、終了条件が満足されるまで（Ｓ４３でＹＥＳになるまで）、送信機１０から放送されるADV_INDがＢＴ通信ユニット２３にて受信される（Ｓ３１でＹＥＳ）毎に、当該ADV_INDの解析が既に済んでいることを確認して（Ｓ３２でＹＥＳ）、電波強度Ｓの取得（Ｓ３４）、電波強度Ｓの判定（Ｓ３５〜Ｓ３８）及びポイント付与処理にて付与すべきポイント数の決定（Ｓ３９〜Ｓ４２）の各処理を実行する。
【００５９】
その過程で、終了条件が満たされると（Ｓ４３でＹＥＳ）、処理ユニット２１は、その時点で決められているポイント数（確定ポイント数）のポイント付与処理を、送信機１０から放送されるADV_INDを受信した際に実行すべき処理として決め、そのポイント付与処理を実行する（Ｓ４４）。その後、ポイント付与に係る処理を終了する。
【００６０】
上述した無線通信システムによれば、前述した例と同様に、携帯端末２０（第２無線通信装置）では、送信機１０（第１無線通信装置）から放送されるADV_INDを受信した際に、その際の電波強度Ｓの前記４つの閾値（−４０ｄＢ、−５０ｄＢ、−６０ｄＢ、−７０ｄＢ）に基づいた判定結果に応じて決められたポイント数のポイント付与処理が実行されるので、送信機１０から放送されるADV_INDを受信する携帯端末２０に対して、受信電波強度Ｓに応じた、即ち、送信機１０までの距離に応じた多様な態様にてポイント付与サービスを提供することができる。また、送信機１０から放送される所定情報ADV_INDに受信電波強度Ｓの判定基準（４つの閾値）の情報（基準情報）及び実行すべき処理（ポイント数）の情報（実行処理情報）が含まれているので、多くの携帯端末２０にて利用され得る前記判定基準及び実行すべき処理（サービスの内容）を容易に変更することができる。
【００６１】
携帯端末２０は、前述した基準情報（４つの閾値）及び実行する処理（ポイント数）の情報を送信機１０以外の機器、例えば、所定のネットワーク上に設けられたサーバから取得することができる。この場合、無線通信システムの基本構成は、図８に示されるようになる。
【００６２】
図８において、本発明の実施の形態に係る無線通信システムは、上述した例と同様に、送信機１０（第１無線通信装置）と一又は複数の携帯端末２０ａ、２０ｂ、２０ｂ（第２無通信装置）から構成される。また、サーバ３０は、所定のネットワーク１００（インターネット及び移動体通信網を含む）及び基地局３１を介して各携帯端末２０ａ、２０ｂ、２０ｃと情報の送受が可能である。各携帯端末２０ａ、２０ｂ、２０ｃは、図４に示すように構成され、移動体通信ユニット２２が、サーバ３０と情報の送受を行う。
【００６３】
携帯端末２０（２０ａ，２０ｂ，２０ｃ）の処理ユニット２１は、例えば、図９に示す手順（アプリケーションプログラム）に従って処理を実行する。
【００６４】
図９において、処理ユニット２１は、送信機１０から放送されるADV_IND（図３Ａ、図３Ｂ参照）がＢＴ通信ユニット２３にて正常に受信されるか否かを繰り返し判定している（Ｓ５１）。その過程で、ＢＴ通信ユニット２３によって前記ADV_INDが正常に受信されたと判定すると（Ｓ５１でＹＥＳ）、処理ユニット２１は、サーバ３０からの応答を既に確認したか否かを判定し（Ｓ５２）、その応答をまだ確認していなければ（Ｓ５２でＮＯ），処理ユニット２１は、受信したADV_INDを解析して送信機ＩＤを取得する（Ｓ５３）。そして、処理用ニット２１は、移動体通信ユニット２２を介して、サーバ３０に送信機ＩＤを送るとともに、サービス（基準情報（閾値）及び実行処理情報（ポイント数））についての問い合わせを送る（Ｓ５４）。以後、処理ユニット２１は待ち状態になる（Ｓ５５でＮＯ）。
【００６５】
サーバ３０は、送信機ＩＤに対応させて、その送信機ＩＤで特定される送信機１０から放送されるADV_INDを受信する携帯端末２０に対して提供するサービス（例えば、受信電波強度に応じたポイント付与サービス）についての情報を管理している。そして、携帯端末２０から前記送信機ＩＤとともにサービスの問い合わせを受けると、その送信機ＩＤに対応付けて管理しているサービスの内容を表す情報、例えば、基準情報（閾値）及び実行処理情報（ポイント数）を携帯端末２０に送る。
【００６６】
携帯端末２０において、移動体通信ユニット２２によってサーバ３０から送られてくるサービスの内容を表す情報が移動体通信ユニット２２にて受信されると、処理ユニット２１はサーバ３０から応答が送られてきた（Ｓ５５でＹＥＳ）として、そのサーバからの応答情報を解析する。そして、処理ユニット２１は、その応答情報に含まれるサービスの内容を表す、例えば、前述した受信電波強度Ｓの判定基準となる４つの閾値（基準情報）と、それら４つの閾値で決まる受信強度Ｓの５つの範囲に対応づけられたポイント付与処理にて付与すべきポイント数（実行処理情報）とを取得し（Ｓ５６）、記憶部２６に格納する。
【００６７】
以後、処理ユニット２１は、記憶部２６に格納された基準情報（閾値）及び実行処理情報（ポイント数）を用いて、前述した例（図７参照）と同様の処理を実行する。
【００６８】
即ち、処理ユニット２１は、ＢＴ通信ユニット２３が前記ADV_INDを受信する際の電波強度Ｓ（RSSI）を取得する（Ｓ５７）。そして、基準情報（閾値）を用いてその電波強度Ｓの判定（図７におけるＳ３５〜Ｓ３８参照）を行い、その判定結果に応じて、ポイント付与処理により付与すべきポイント数を決める（Ｓ３９〜Ｓ４２）。以後、処理ユニット２１は、終了条件が満足されるまで（図７におけるＳ４３でＹＥＳになるまで）、送信機１０から放送されるADV_INDがＢＴ通信ユニット２３にて受信される（Ｓ５１でＹＥＳ）毎に、サーバ３０からの応答を既に確認したことを確認して（Ｓ５２でＹＥＳ）、電波強度Ｓの取得（Ｓ５７）、電波強度Ｓの判定（図７におけるＳ３５〜Ｓ３８参照）及びポイント付与処理にて付与すべきポイント数の決定（図７におけるＳ３９〜Ｓ４２参照）の各処理を実行する。
【００６９】
その過程で、終了条件が満たされると（図７におけるＳ４３でＹＥＳ）、処理ユニット２１は、その時点で決められているポイント数（確定ポイント数）のポイント付与処理を、送信機１０から放送されるADV_INDを受信した際に実行すべき処理として決め、そのポイント付与処理を実行する（Ｓ４４）。その後、ポイント付与に係る処理を終了する。
【００７０】
上述した無線通信システムによれば、前述した各例と同様に、携帯端末２０（第２無線通信装置）では、送信機１０（第１無線通信装置）から放送されるADV_INDを受信した際に、その際の電波強度Ｓの所定の基準（閾値）に基づいた判定結果に応じて決められたポイント数のポイント付与処理が実行されるので、送信機１０から放送されるADV_INDを受信する携帯端末２０に対して、受信電波強度Ｓに応じた、即ち、送信機１０までの距離に応じた多様な態様にてポイント付与サービスを提供することができる。また、ポイント付与サービスの内容がサーバ３０から提供されるので、多くの携帯端末２０にて利用され得る前記判定基準及び実行すべき処理（サービスの内容）を容易に変更することができ、多彩なサービスを提供することができる。
【００７１】
前述した各例では、携帯端末２０では、送信機１０から放送される所定情報ADV_INDが受信された際の電波強度Ｓの判定結果に応じて実行すべき処理が複数の処理（ポイント数）のうちのいずれかに決められるものであったが、これに限られない。例えば、送信機１０から放送される所定情報ADV_INDが受信された際の電波強度Ｓが極めて高い場合に、所定の処理を実行すべき処理として決め、電波強度Ｓがその極めて高い強度に達しない場合には、実行すべき処理が無い、即ち、実行すべき上記所定の処理を行わないと決めるようにしてもよい。この場合、携帯端末２０の処理ユニット２１は、例えば、図１０に示す手順（アプリケーションプログラム）に従って処理を実行する、
【００７２】
図１０において、処理ユニット２１は、送信機１０から放送されるADV_IND（図３Ａ、図３Ｂ参照）がＢＴ通信ユニット２３にて正常に受信されるか否かを繰り返し判定している（Ｓ６１）。その過程で、ＢＴ通信ユニット２３によって前記ADV_INDが正常に受信されたと判定すると（Ｓ６１でＹＥＳ）、処理ユニット２１は、ＢＴ通信ユニット２３が前記ADV_INDを受信する際の電波強度Ｓ（RSSI）を取得する（Ｓ６２）。そして、処理ユニット２１は、取得した電波強度Ｓが、所定の閾値（−４０ｄＢ）以上であるか否かを判定する（Ｓ６３）。携帯端末２０が送信機１０に極めて近接した状態にあって、前記電波強度Ｓが前記閾値（−４０ｄＢ）以上であると（Ｓ６３でＹＥＳ）、処理ユニット２１は、ポイント付与処理により付与すべきポイント数を５０ポイント（５０ｐ）に決め（Ｓ６４）、終了条件が満足されているか否かを判定する（Ｓ６５）。一方、前記電波強度Ｓが前記閾値（−４０ｄＢ）に達していないと（Ｓ６３でＮＯ）、処理ユニット２１は、ポイント付与処理により付与すべきポイント数を決めることなく、即ち、前記ポイント付与処理を行わないことを決めて、終了条件が満足されているか否かを判定する（Ｓ６５）。
【００７３】
以後、終了条件が満足されていない場合（Ｓ６５でＮＯ）、処理ユニット２１は、ＢＴ通信ユニット２３にて送信機１０から放送されるADV_INDが正常に受信される（Ｓ６１でＹＥＳ）毎に、同様の処理を実行する。なお、電波強度Ｓが閾値（−４０ｄＢ）以上であると判定され（Ｓ６３でＹＥＳ）、ポイント付与処理にて付与されるべきポイント数が５０ポイントと決められると（Ｓ６４）、その後、電波強度Ｓが閾値（−４０ｄＢ）に達しなくなっても、ポイント付与処理にて付与されるべきポイント数は５０ポイントに維持される。
【００７４】
上記の処理の過程で、終了条件が満たされると（Ｓ６５でＹＥＳ）、処理ユニット２１は、その時点で決められているポイント数（確定ポイント数：５０ポイント）のポイント付与処理を、送信機１０から放送されるADV_INDを受信した際に実行すべき処理として決め、そのポイント付与処理を実行する（Ｓ６６）。その後、ポイント付与に係る処理を終了する。一方、前記ポイント付与処理を行わないことが決められた場合（Ｓ６３でＮＯの場合）、そのポイント付与処理は行われずに（０ポイントのポイント付与処理が行われて）、当該処理を終了する。
【００７５】
上述した無線通信システムによれば、携帯端末２０が送信機１０に極めて近い位置に位置付けられた場合のみに、当該携帯端末２０において所定のポイント数（５０ポイント）を付与するポイント付与処理が実行されるので、疑似的にNFC（Near Field Communication）を模したユーザインタフェースを実現することができる。即ち、送信機１０を収容したボックス等に携帯端末２０がタッチされた場合に限り、所定のサービスに係る情報を携帯端末２０に提供することができる。
【００７６】
前述した各例では、携帯端末２０において決められる送信機１０から放送される所定情報ADV_INDを受信した際に行うべき処理（ポイント付与処理）は、送信機１０に関わりなく携帯端末２０により実行されるものであったが、これに限定されない。送信機１０から放送される所定情報ADV_INDを受信した際に携帯端末２０が行うべき処理は、送信機１０との通信処理を含むことができる。
【００７７】
送信機１０から放送される所定情報ADV_INDを受信した際に携帯端末２０が行うべき処理が、当該所定情報ADV_INDの送受に用いられる前記ブルートゥースＬＥの規定に基づいた通信手順と異なる、例えば、ブルートゥースクラシック（Bluetooth Classic）の規定に基づいた通信手順に従って実行される通信処理を含む場合、前記所定情報ADV_INDは、例えば、図１１Ａに示すフォーマットで図１１Ｂに示す内容の情報を含む。即ち、前述した例（図３Ａ及び図３Ｂ参照）と同様に１バイト目がデータサイズを表す情報（値）を、２バイト目がデータタイプを表す情報（値）を、３バイト目〜５バイト目が送信機１０を特定するＩＤ番号（値）を、それぞれ表す。更に、６バイト目〜１１バイト目が送信機１０のＢＴアドレス、１２バイト目〜１３バイト目がPinコードを表す。これらＢＴアドレス及びPinコードは、ブルートゥースクラシックの規定に基づいた通信手順に従った通信に必要なペアリング情報である。
【００７８】
携帯端末２０の処理ユニット２１は、例えば、図１２に示す手順（アプリケーションプログラム）に従って処理を実行する。
【００７９】
図１２において、処理ユニット２１は、処理ユニット２１は、ブルートゥースＬＥに規定される通信手順に従って送信機１０から放送されるADV_IND（図１１Ａ、図１１Ｂ参照）がＢＴ通信ユニット２３にて正常に受信されるか否かを繰り返し判定している（Ｓ７１：図１３における手順（１）参照）。その過程で、ＢＴ通信ユニット２３によって前記ADV_INDが正常に受信されたと判定すると（Ｓ７１でＹＥＳ）、処理ユニット２１は、ＢＴ通信ユニット２３が前記ADV_INDを受信する際の電波強度Ｓ（RSSI）を取得する（Ｓ７２）。処理ユニット２１は、前記取得した電波強度Ｓが、所定の閾値（−４０ｄＢ）以上であると判定すると（Ｓ７３でＹＥＳ）、前記受信したADV_INDを解析して、送信機１０についてのＢＴアドレス及びPinコードを取得する（Ｓ７４）。
【００８０】
そして、処理ユニット２１は、ブルートゥースクラシック（Bluetooth Classic）の規定に基づいた通信手順に従って行われる送信機１０との通信処理を、送信機１０から放送される所定情報ADV_INDを受信した際に実行すべき処理として決め、その通信処理を実行する（Ｓ７５〜Ｓ７８）。即ち、処理ユニット２１は、ＢＴ通信ユニット２３に対して、前記ＢＴアドレス及びPinコードを用いて送信機１０とのペアリング処理を実行させ（Ｓ７５：図１３における手順（２）参照）、ＢＴ通信ユニット２３を送信機１０に接続させる（Ｓ７６：図１３における手順（３）参照）。このように、ＢＴ通信ユニット２３が送信機１０と接続された状態になると、処理ユニット２１は、ＢＴ通信ユニット２３に対して、送信機１０と１対１の通信を開始させる（Ｓ７７：図１３における手順（４）参照）。この通信において、ＢＴ通信ユニット２３と送信機１０との間で情報の送受が行われる。そして、携帯端末２０では、ＢＴ通信ユニット２３にて受信された送信機１０からの情報をサービスの内容を表す情報として得ることができる。
【００８１】
上記送信機１０との通信の過程で、処理ユニット２１は、送信機１０との接続が切断されたことを確認すると（Ｓ７８：図１３における手順（５）参照）、終了条件が満足されているか否かを判定する（Ｓ７９）。一方、前記電波強度Ｓが前記閾値（−４０ｄＢ）に達していないと（Ｓ７３でＮＯ）、処理ユニット２１は、送信機１０との通信を開始することなく、即ち、ブルートゥースクラシックの規定に基づいた通信手順に従った送信機１０との通信処理を行わないことを決めて、終了条件が満足されているか否かを判定する（Ｓ７９）。
【００８２】
以後、終了条件が満足されていない場合（Ｓ７９でＮＯ）、処理ユニット２１は、ブルートゥースＬＥの規定に基づいた通信手順に従って送信機１０から放送される所定情報ADV_INDがＢＴ通信ユニット２３にて受信される（Ｓ７１でＹＥＳ）毎に、同様の処理（Ｓ７２〜Ｓ７９）を実行する。
【００８３】
上述した無線通信システムによれば、前述した例と同様に、NFC（Near Field Communication）を利用したBluetoothハンドオーバーを模したユーザインタフェースを実現することができる。携帯端末２０を送信機１０に近接させたときに、携帯端末２０において送信機１０から配信されるサービスに係る情報を受信することができる。
【００８４】
また、携帯端末２０の処理ユニット２１は、図１４に示す手順（アプリケーションプログラム）に従って処理を実行することができる。この場合、所定情報ADV_INDの放送及び受信に用いられる通信手順と同じブルートゥースＬＥの規定に基づいた通信手順に従って行われる送信機１０との通信処理が、送信機１０から放送される所定情報ADV_INDを受信した際に実行すべき処理として決められる。
【００８５】
図１４において、処理ユニット２１は、処理ユニット２１は、ブルートゥースＬＥに規定される通信手順に従って送信機１０から放送されるADV_IND（図３Ａ、図３Ｂ参照）がＢＴ通信ユニット２３にて正常に受信されるか否かを繰り返し判定している（Ｓ８１：図１５における手順（１）参照）。その過程で、ＢＴ通信ユニット２３によって前記ADV_INDが正常に受信されたと判定すると（Ｓ８１でＹＥＳ）、処理ユニット２１は、ＢＴ通信ユニット２３が前記ADV_INDを受信する際の電波強度Ｓ（RSSI）を取得する（Ｓ８２）。処理ユニット２１は、前記取得した電波強度Ｓが、所定の閾値（−４０ｄＢ）以上であると判定すると（Ｓ８３でＹＥＳ）、処理ユニット２１は、ＢＴ通信ユニット２３に対して、CNNECT_REQを送信機１０に送信させ（図１５における手順（２）参照）、ＢＴ通信ユニット２３を送信装置に接続させる（Ｓ８４：図１５における手順（３）参照）。このように、ＢＴ通信ユニット２３が送信機１０と接続された状態になると、処理ユニット２１は、ＢＴ通信ユニット２３に対して、送信機１０との通信を開始させる（Ｓ８５：図１５における手順（４）参照）。この通信において、ＢＴ通信ユニット２３と送信機１０との間でブルートゥースＬＥの規定に基づいた通信手順に従って情報の送受が行われる。そして、携帯端末２０では、ＢＴ通信ユニット２３にて受信された送信機１０からの情報をサービスの内容を表す情報として得ることができる。
【００８６】
上記送信機１０との通信の過程で、処理ユニット２１は、送信機１０との接続が切断されたことを確認すると（Ｓ８６：図１５における手順（５）参照）、終了条件が満足されているか否かを判定する（Ｓ８７）。一方、前記電波強度Ｓが前記閾値（−４０ｄＢ）に達していないと（Ｓ８３でＮＯ）、処理ユニット２１は、送信機１０との通信を開始することなく、即ち、ブルートゥースＬＥの規定に基づいた通信手順に従った送信機１０との通信処理を行わないことを決めて、終了条件が満足されているか否かを判定する（Ｓ８９）。
【００８７】
以後、終了条件が満足されていない場合（Ｓ８７でＮＯ）、処理ユニット２１は、ブルートゥースＬＥの規定に基づいた通信手順に従って送信機１０から放送される所定情報ADV_INDがＢＴ通信ユニット２３にて受信される（Ｓ７１でＹＥＳ）毎に、同様の処理（Ｓ７２〜Ｓ７９）を実行する。
【００８８】
上述した無線通信システムによれば、前述した例と同様に、NFC（Near Field Communication）を模したユーザインタフェースを実現することができ、携帯端末２０を送信機１０に近接させたときに、携帯端末２０と送信機１０はよりセキュアな１対１の通信を行うことができる。
【００８９】
更に、携帯端末２０の姿勢に基づいて、送信機１０から放送される所定情報ADV_INDを受信した際に実行すべき処理を制御することができる。この場合、前記所定情報ADV_INDは、例えば、図１６Ａに示すフォーマットで図１６Ｂに示す内容の情報を含む。即ち、前述した例（図３Ａ及び図３Ｂ参照）と同様に１バイト目がデータサイズを表す情報（値）を、２バイト目がデータタイプを表す情報（値）を、３バイト目〜５バイト目が送信機１０を特定するＩＤ番号（値）を、それぞれ表す。更に、６バイト目がＸ軸方向の加速度の基準についての情報（値）を、７バイト目がＹ軸方向の加速度の基準についての情報（値）を、８バイト目がＺ軸方向の加速度の基準についての情報（値）を、それぞれ表す。前記Ｘ軸方向、Ｙ軸方向及びＺ軸方向の加速度の基準によって、携帯端末２０の姿勢についての条件、例えば、Ｚ軸方向に重力１Ｇがかかっている水平姿勢が表される。
【００９０】
携帯端末２０の処理ユニット２１は、例えば、図１７に示す手順（アプリケーションプログラム）に従って処理を実行する。
【００９１】
図１７において、処理ユニット２１は、ブルートゥースＬＥの規定に基づいた通信手順に従って送信機１０から放送されるADV_IND（図１６Ａ、図１６Ｂ参照）がＢＴ通信ユニットにて正常に受信されるか否かを繰り返し判定している（Ｓ９１）。その過程で、ＢＴ通信ユニット２３によって前記ADV_INDが正常に受信されたと判定すると（Ｓ９１でＹＥＳ）、処理ユニット２１は、当該ADV_INDの解析が既に終了しているか否かを判定し（Ｓ９２）、その解析がまだ終了していなければ（Ｓ９２でＮＯ）、処理ユニット２１は、受信したADV_INDを解析して、携帯端末２０の姿勢条件を表す三軸方向（Ｘ軸方向、Ｙ軸方向、Ｚ軸方向）の加速度基準値を取得する（Ｓ９３）。この三軸方向の加速度基準値（姿勢条件）は、記憶部２６に格納される。
【００９２】
そして、処理ユニット２１は、加速度センサユニット２７の検出信号に基づいて三軸方向の加速度に係る検出値を取得する（Ｓ９３）。処理ユニット２１は、その取得した加速度に係る検出値にて表される携帯端末２０の姿勢が前記加速度基準値にて表される姿勢条件を満足するか否かを判定する（Ｓ９５）。携帯端末２０の姿勢が、例えば、図１８Ａに示すように、前記姿勢条件である送信機１０と平行、即ち、水平姿勢であると判定すると（Ｓ９５でＹＥＳ）、処理ユニット２１は、ＢＴ通信ユニット２３が前記ADV_INDを受信する際の電波強度Ｓ（RSSI）を取得する（Ｓ９６）。以後、前述した処理（図１０参照）と同様に、携帯端末２０が送信機１０に極めて接近した状態にあって、前記電波強度Ｓが所定閾値（−４０ｄＢ）以上であると（Ｓ９７でＹＥＳ）、処理ユニット２１は、ポイント付与処理により付与すべきポイント数を５０ポイント（５０ｐ）に決め（Ｓ９８）、終了条件が満足されているか否かを判定する（Ｓ９９）。一方、前記電波強度Ｓが前記閾値（−４０ｄＢ）に達していないと（Ｓ９７でＮＯ）、処理ユニット２１は、ポイント付与処理により付与すべきポイント数を決めることなく、即ち、前記ポイント付与処理を行わないことを決めて、終了条件が満足されているか否かを判定する（Ｓ９９）。
【００９３】
また、一方、携帯端末２０の姿勢が、例えば、図１８Ｂに示すように、前記姿勢条件である送信機１０と平行、即ち、水平姿勢でないと判定した（Ｓ９５でＮＯ）場合にも、処理ユニット２１は、ポイント付与処理により付与すべきポイント数を決めることなく、即ち、前記ポイント付与処理を行わないことを決めて、終了条件が満足されているか否かを判定する（Ｓ９９）。
【００９４】
以後、終了条件が満足されていない場合（Ｓ９９でＮＯ）、処理ユニット２１は、ＢＴ通信ユニット２３にて送信機１０から放送されるADV_INDが正常に受信される（Ｓ９１でＹＥＳ）毎に、前記ADV_INＤの解析が既に済んでいることを確認しつつ（Ｓ９２でＹＥＳ）、同様の処理を実行する。上記の処理の過程で、終了条件が満たされると（Ｓ９９でＹＥＳ）、処理ユニット２１は、前述したのと同様に、その時点で決められているポイント数（確定ポイント数：５０ポイント）のポイント付与処理を、送信機１０から放送されるADV_INDを受信した際に実行すべき処理として決め、そのポイント付与処理を実行する（Ｓ１００）。その後、ポイント付与に係る処理を終了する。一方、電波強度Ｓの条件が満たされない場合（Ｓ９７でＮＯの場合）または携端端末２０の姿勢に係る条件が満たされない場合（Ｓ９５でＮＯの場合）、そのポイント付与処理は行われずに（０ポイントのポイント付与処理が行われて）、当該処理を終了する。
【００９５】
上述した無線通信システムによれば、携帯端末２０が送信機１０に極めて近い位置に位置付けられた場合であって、携帯端末２０の姿勢が所定の姿勢条件（例えば、水平姿勢）を満足する場合にのみに、当該携帯端末２０において所定のポイント数（５０ポイント）を付与するポイント付与処理が実行されるので、疑似的にNFC（Near Field Communication）を模したユーザインタフェースを実現することができる。即ち、送信機１０を収容したボックス等に正しい姿勢（例えば、水平姿勢）で携帯端末２０がタッチされた場合に限り、所定のサービスに係る情報を携帯端末２０に提供することができる。
【００９６】
上述した例では、送信機１０（第１無線通信装置）は、固定無線通信装置であったが、これに限定されず、送信機１０は、移動無線通信装置であってもよい。
【００９７】
また、基準情報（例えば、閾値）と実行処理情報（例えば、ポイント数）とは、携帯端末２０に別々の通信装置から提供されるものであってもよい。
【産業上の利用可能性】
【００９８】
本発明に係る無線通信システムは、放送される情報を受信する無線通信装置側に対するサービスの提供態様の多様化を図ることができるという効果を有し、一方の無線通信装置から放送される情報を他方の無線通信装置が受信して処理を実行する無線通信システムとして有用である。
【符号の説明】
【００９９】
１０  送信機
２０、２０ａ、２０ｂ、２０ｃ  携帯端末
２１  処理ユニット
２２  移動体通信ユニット
２３  ＢＴ通信ユニット
２４  表示部
２５  操作部
２６  記憶部
２７  加速度センサユニット
【図１】
2015100048.tif 000003
【図２】
2015100048.tif 000004
【図３Ａ】
2015100048.tif 000005
【図３Ｂ】
2015100048.tif 000006
【図４】
2015100048.tif 000007
【図５】
2015100048.tif 000008
【図６Ａ】
2015100048.tif 000009
【図６Ｂ】
2015100048.tif 000010
【図７】
2015100048.tif 000011
【図８】
2015100048.tif 000012
【図９】
2015100048.tif 000013
【図１０】
2015100048.tif 000014
【図１１Ａ】
2015100048.tif 000015
【図１１Ｂ】
2015100048.tif 000016
【図１２】
2015100048.tif 000017
【図１３】
2015100048.tif 000018
【図１４】
2015100048.tif 000019
【図１５】
2015100048.tif 000020
【図１６Ａ】
2015100048.tif 000021
【図１６Ｂ】
2015100048.tif 000022
【図１７】
2015100048.tif 000023
【図１８Ａ】
2015100048.tif 000024
【図１８Ｂ】
2015100048.tif 000025